(57)【要約】      （修正有）【課題】寒い冬でも給油作業が億劫とならず、給油しながら他の作業が行えることで、効率のよい給油が行える給油ノズルの弁開レバー用留め具を提供する。【解決手段】留め具１は、給油装置に設けられた燃料の供給を操作する給油ノズルの後端面に当接する一端部である第１突出部３と、給油ノズルの給油弁の開放・閉塞を制御する弁開レバーが引かれた位置で当接する他端部である第２突出部４と、第１突出部３および第２突出部３を繋ぐ本体部２とを備えている。第１突出部３と第２突出部４とに弾性体による当接部として機能する軟質チューブ５が設けられている。【選択図】図１
0003152253.tif 000002
【実用新案登録請求の範囲】
【請求項１】
給油装置に設けられた燃料の供給を操作する給油ノズルの後端面に当接する一端部と、
前記給油ノズルの給油弁の開放・閉塞を制御する弁開レバーが引かれた位置で当接する他端部と、
前記一端部および前記他端部を繋ぐ本体部とを備えたことを特徴とする給油ノズルの弁開レバーの留め具。
【請求項２】
前記一端部および／または前記他端部には、弾性体による当接部が設けられている請求項１記載の給油ノズルの弁開レバーの留め具。
【請求項３】
前記当接部は、周囲面を覆う軟質チューブにより形成されている請求項２記載の給油ノズルの弁開レバーの留め具。
【考案の詳細な説明】
【技術分野】
【０００１】
本考案は、ガソリンスタンドなどに設置される給油装置の給油ノズルに装着されることで、弁開レバーを開放状態とすることができる給油ノズルの弁開レバー用留め具に関する。
【背景技術】
【０００２】
ガソリンスタンドと称される給油所には、車両にガソリンや軽油などの燃料を給油する給油装置が設置されている。給油者はこの給油装置の装置本体から給油ガンと称されることもある給油ノズルを取り、車両の給油口にノズル先端を挿入してガソリンや軽油を給油する。
【０００３】
このような給油ノズルとして、例えば、特許文献１に記載されたものがある。この特許文献１には、ノズルの三次元姿勢およびその変動を姿勢検知センサで検知し、ノズルの三次元姿勢が安全姿勢であるか否かを判定し、条件に適合するときのみ、ガントリガの操作によるノズル先端部からの液体燃料の排出を可能にするガン制御装置を備えた給液ガンが記載されている。
【先行技術文献】
【特許文献】
【０００４】
【特許文献１】特開２００５−２９８０１１号公報
【考案の概要】
【考案が解決しようとする課題】
【０００５】
作業員が操作する給油装置は、給油ノズルの弁開レバーを開放状態のまま維持できる。作業員は、弁開レバーを開放状態としたままとすることで、給油しながらフロントガラスや窓ガラスを拭いたり、灰皿を清掃したりして、サービスの向上に努めている。しかし、セルフスタンドと称される作業者が事務所内に待機している給油所では、給油ノズルの弁開レバーが開放状態のまま維持できない構造であるため、満タンになるまで弁開レバーを開いた状態とするためには、給油ノズルを握り続けなくてはならない。この作業は、降雪時や風の冷たい寒い冬、風雨が激しい悪天候のときなどには辛いものである。また、作業員のように給油しながら窓ふきをすることなどができないため、給油を終わらせた後に窓ふきや灰皿の清掃を行う必要がある。そうなると、順番待ちをしている後続の運転手達に迷惑をかけてしまう。
【０００６】
そこで本考案は、寒い冬や悪天候のときでも給油作業が億劫とならず、給油しながら他の作業が行えることで、効率のよい給油が行える給油ノズルの弁開レバー用留め具を提供することを目的とする。
【課題を解決するための手段】
【０００７】
本考案の給油ノズルの弁開レバーの留め具は、給油装置に設けられた燃料の供給を操作する給油ノズルの後端面に当接する一端部と、前記給油ノズルの給油弁の開放・閉塞を制御する弁開レバーが引かれた位置で当接する他端部と、前記一端部および前記他端部を繋ぐ本体部とを備えたことを特徴とする。
【０００８】
本考案の留め具は、一端部と他端部とその間を繋ぐ本体部とを備えている。一端部が給油ノズルの後端面に当接し、他端部が引かれた状態の弁開レバーに当接することで、弁解レバーを引いたままの状態とすることができる。従って、本考案の留め具を給油ノズルに装着することで、弁開レバーを開放状態に維持したままとすることができる。
【０００９】
前記一端部および／または前記他端部には、弾性体による当接部が設けられているのが望ましい。弾性体による当接部が設けられていることで、金属製の給油ノズルに装着した際に滑って外れにくくすることができる。
【００１０】
この当接部は、周囲面を覆う軟質チューブにより形成することにより、簡単に当接部を形成することができる。
【考案の効果】
【００１１】
本考案の給油ノズルの弁開レバーの留め具は、給油ノズルに装着することで、弁開レバーを開放状態に維持したままとすることができるので、寒い冬でも給油作業が億劫とならず、給油しながら他の作業が行えることで、効率のよい給油を行うことができる。
【図面の簡単な説明】
【００１２】
【図１】本考案の実施の形態に係る給油ノズルの弁開レバーの留め具を示す図であり、（Ａ）は平面図、（Ｂ）は側面図である。
【図２】図１に示す留め具の使用状態を示す図である。
【考案を実施するための形態】
【００１３】
本考案の実施の形態に係る給油ノズルの弁開レバーの留め具について、図１に基づいて説明する。
図１（Ａ）および同図（Ｂ）に示すように留め具１は、金属板により形成され、給油装置の給油ノズルに装着されるものである。留め具１は、本体部２と、本体部２の両端から同一方向に突出した一端部となる第１突出部３と、他端部となる第２突出部４とで、略コ字状に形成されている。
この留め具１は、少ロットの場合にはレーザー加工または大量生産の場合には打ち抜き加工により形成することができる。
第１突出部３および第２突出部４を繋ぐ本体部２は、幅広に形成され、角部が持ちやすいように円弧状に形成されている。
【００１４】
第１突出部３および第２突出部４は、先端が円弧状に形成されている。第１突出部３の胴部３ａおよび第２突出部４の胴部４ａには、当接部として機能する弾性体である軟質チューブ５が設けられている。本実施の形態では、この軟質チューブ５は熱軟化性のチューブを採用している。軟質チューブ５を第１突出部３および第２突出部４に装着するときには、軟質チューブ５を加熱して軟化させて第１突出部３および第２突出部４に挿入し、常温に冷やして軟質チューブ５の内周面を第１突出部３および第２突出部４に密着させることで、軟質チューブ５を固定する。
軟質チューブ５は熱収縮チューブとすることも可能である。その場合には、常温のまま軟質チューブ５を第１突出部３および第２突出部４に入れ、加熱することで密着させて固定する。
本実施の形態では、第１突出部３および第２突出部４の両方に軟質チューブ５が装着されているが、いずれか一方でもよい。
【００１５】
以上のように構成された本考案の実施の形態に係る留め具１の使用状態を図２に基づいて説明する。
【００１６】
まず、使用者は給油装置の操作盤を操作して、油種の選択、給油量の選択、支払い方法の指定などを入力する。これらの入力が完了すると、使用者は、給油装置の音声ガイダンスに従い、給油口のキャップを外し、給油装置から給油ノズルを取り出し、給油口へノズル先端を挿入し、給油ノズルの弁開レバーを引き、給油を開始する。
【００１７】
使用者は、図２に示すように引いた状態の給油ノズル１０の弁開レバー１１に第１突出部３に設けた軟質チューブ５を当接させつつ、給油ノズル１０の後端面１２に第２突出部４の軟質チューブを当接させて押し込む。そうすることで、弁開レバー１１が引かれた状態で固定される。従って、弁開レバー１１を開放状態に維持したままとすることができる。第１突出部３を弁開レバー１１側に、第２突出部４を給油ノズル１０の後端面１２側としているが、その反対としてもよい。
【００１８】
第１突出部３および第２突出部４には、軟質チューブ５が第１突出部３および第２突出部４の周囲面を覆っているので、軟質チューブ５が弾性変形して弁開レバー１１や後端面１２に密着するので外れにくい。
【００１９】
使用者は、風雨が激しい悪天候では両手で傘を持ちながら、また風の冷たい寒い冬であれば両手をポケットに入れたまま、給油が完了するまで待つことができる。また、使用者は、備え付けの雑巾でフロントガラスや窓ガラス、サイドミラー、ウインカー、ヘッドライドなどを拭いたり、灰皿を清掃したりして、給油完了を待つことができる。
【００２０】
給油装置は、燃料タンクがほぼ満タン状態となったことを検出すると給油が停止する。使用者は給油が停止したことを契機に留め具１を給油口２０から引き抜く。更に追加で給油したい場合には留め具１を使用せずに給油する。
【００２１】
このように、留め具１は、給油ノズル１０に装着することで、弁開レバー１１を開放状態に維持したままとすることができるので、寒い冬や悪天候のときでも給油作業が億劫とならず、給油しながら他の作業が行えることで、効率のよい給油を行うことができる。
【００２２】
なお、本実施の形態では、留め具１は略コ字状に形成されているが、第１突出部３および第２突出部４の反対側にも突出させて略エ字状とすることも可能である。そうすることで、両側で使用できる。また、本体部２の中央から第１突出部３および第２突出部４とは反対側に突出する取手を設けてもよい。そうすることで留め具を引く抜く際に容易となる。
【産業上の利用可能性】
【００２３】
本考案の留め具は、セルフスタンドにて、ガソリンや軽油を給油する際に好適である。また、本考案の留め具は、灯油を給油する場合でも使用することができる。
【符号の説明】
【００２４】
１  留め具
２  本体部
３  第１突出部
４  第２突出部
５  軟質チューブ
１０  給油ノズル
１１  弁開レバー
１２  後端面
２０  給油口
【図１】
0003152253.tif 000003
【図２】
0003152253.tif 000004